(57)【要約】      （修正有）【課題】異なるニューメロロジーを用いてリソースブロックの境界上の干渉を低減する交差ニューメロロジースケジューリングのための方法及びデバイスを提供する。【解決手段】通信デバイスにより行われる方法であって、第１の通信に関連付けられる第１の時間位置と、第１の通信と第２の通信との間の時間間隔と、のうちの少なくとも１つを決定する。第１の通信は、第１のニューメロロジーを用い、第２の通信は、第２のニューメロロジーを用い第１の通信に応答して行われる。【選択図】図４
2022002392.tif 000002
【特許請求の範囲】
【請求項１】
ユーザ機器によって行われる方法であって、
スロットの数ｋを示す情報を受信することと、
スロットの第１の配列のための第１のサブキャリア間隔を設定する第１のパラメータと、スロットの第２の配列のための第２のサブキャリア間隔を設定する第２のパラメータとを受信することと、
前記第１の配列のうち、第１のスロットにて物理ダウンリンク共有チャネル（ＰＤＳＣＨ：Physical Downlink Shared Channel）の送信を受信することと、
前記第２の配列のうち、第２のスロットにてＰＵＣＣＨ（Physical Uplink Control Channel）送信で、前記ＰＤＳＣＨに対応するハイブリッド自動再送要求（ＨＡＲＱ−ＡＣＫ：Hybrid Automatic Repeat Request）情報を送信することと、
を備え、
前記第２のスロットまでの、前記第２の配列における前記スロットの数ｋを数える開始位置は、前記第２の配列のうち、前記ＰＤＳＣＨの受信と重複する最後のスロットであり、
前記第１のサブキャリア間隔と前記第２のサブキャリア間隔は、互いに独立している、
方法。
【請求項２】
前記第１のサブキャリア間隔は、前記第２のサブキャリア間隔よりも大きい、
請求項１に記載の方法。
【請求項３】
前記第２のサブキャリア間隔は、前記第１のサブキャリア間隔よりも大きい、
請求項１に記載の方法。
【請求項４】
前記スロットの数ｋを示す前記情報は、スケジューリング情報によって与えられる、
請求項１から３のいずれか１つに記載の方法。
【請求項５】
サブキャリア間隔が１５ｋＨｚ、３０ｋＨｚ、６０ｋＨｚ、１２０ｋＨｚ、及び２４０ｋＨｚの場合、スロットあたりのシンボルの数は１４である、
請求項１から４のいずれか１つに記載の方法。
【請求項６】
サブフレームの持続時間は、１ｍｓである、
請求項１から５のいずれか１つに記載の方法。
【請求項７】
基地局によって行われる方法であって、
スロットの数ｋを示す情報を送信することと、
スロットの第１の配列のための第１のサブキャリア間隔を設定する第１のパラメータと、スロットの第２の配列のための第２のサブキャリア間隔を設定する第２のパラメータとを送信することと、
前記第１の配列のうち、第１のスロットにて物理ダウンリンク共有チャネル（ＰＤＳＣＨ：Physical Downlink Shared Channel）の送信を実行することと、
前記第２の配列のうち、第２のスロットにてＰＵＣＣＨ（Physical Uplink Control Channel）送信で、前記ＰＤＳＣＨに対応するハイブリッド自動再送要求（ＨＡＲＱ−ＡＣＫ：Hybrid Automatic Repeat Request）情報を受信することと、
を備え、
前記第２のスロットまでの、前記第２の配列における前記スロットの数ｋを数える開始位置は、前記第２の配列のうち、前記ＰＤＳＣＨの受信と重複する最後のスロットであり、
前記第１のサブキャリア間隔と前記第２のサブキャリア間隔は、互いに独立している、
方法。
【請求項８】
前記第１のサブキャリア間隔は、前記第２のサブキャリア間隔よりも大きい、
請求項７に記載の方法。
【請求項９】
前記第２のサブキャリア間隔は、前記第１のサブキャリア間隔よりも大きい、
請求項７に記載の方法。
【請求項１０】
前記スロットの数ｋを示す前記情報は、スケジューリング情報によって与えられる、
請求項７から９のいずれか１つに記載の方法。
【発明の詳細な説明】
【技術分野】
【０００１】
本開示の実施形態は、概して、通信技術に関する。より具体的には、本開示の実施形態は、交差ニューメロロジースケジューリングのための方法及びデバイスに関する。
【背景技術】
【０００２】
近年、新無線（ＮＲ）アクセスシステムが開発されている。ＮＲは、拡張モバイルブロードバンド（ｅＭＢＢ）、大規模マシンタイプ通信（ｍＭＴＣ）、及び超高信頼且つ低遅延の通信（ＵＲＬＬＣ）を含むＴＲ３８．９１３において定義される全ての使用シナリオ、要件及び配備シナリオに対処する単一の技術フレームワークを対象とする１００ＧＨｚまでに及ぶ周波数範囲を考慮する。多数のニューメロロジー（numerology）が様々なシナリオについてＮＲにおいてサポートされている。ニューメロロジーのためのパラメータは、サブキャリア間隔（ＳＣＳ）の値とサイクリックプリフィックス（ＣＰ）の長さとのうちの少なくとも１つを有してもよく、対応するフレーム／スロット構造はニューメロロジーに基づいてもよい。したがって、異なるニューメロロジーにおいて交差ニューメロロジースケジューリングタイミングを発展させる必要がある。
【発明の概要】
【発明が解決しようとする課題】
【０００３】
本開示は、異なるニューメロロジーを用いてリソースブロックの境界上の干渉を低減するための解決策を提案する。
【課題を解決するための手段】
【０００４】
本開示の実施形態の第１の態様によれば、本開示の実施形態は、通信デバイスにより行われる方法を提供する。この方法は、第１の通信に関連付けられる第１の時間位置と、第１の通信と第２の通信との間の時間間隔と、のうちの少なくとも１つを決定することを含み、第１の通信は第１のニューメロロジーを用い、第２の通信は第２のニューメロロジーを用い第１の通信に応答して行われる。
【０００５】
本開示の実施形態の第２の態様によれば、本開示の実施形態は通信デバイスを提供する。通信デバイスは、少なくとも１つのコントローラと、前記少なくとも１つのコントローラに結合されたメモリであって、前記メモリは複数の命令を格納し、前記命令は、少なくとも１つのコントローラによって実行されると、通信デバイスに、第１の通信に関連付けられる第１の時間位置と、第１の通信と第２の通信との間の時間間隔と、のうちの少なくとも１つを決定することであって、第１の通信は第１のニューメロロジーを用い、第２の通信は第２のニューメロロジーを用い第１の通信に応答して行われる、決定すること、を含む動作を実行させる。
【０００６】
本開示の実施形態の第３の態様によれば、本開示の実施形態はコンピュータ可読媒体を提供する。コンピュータ可読媒体は命令を記憶し、命令は、マシンの少なくとも１つの処理ユニットにより実行されると、マシンに上記第１の態様に係る方法を実行させる。
【０００７】
本開示の実施形態の他の特徴及び利点はまた、具体的な実施形態の以下の説明を、例として本開示の実施形態の原理を例示する添付図面と併せて読むことにより、明らかになるであろう。
【図面の簡単な説明】
【０００８】
本開示の実施形態は例示として提示され、それらの利点について、添付の図面を参照しながら以下でさらに詳細に説明する。
【０００９】
【図１Ａ】図１Ａは、従来の解決法による様々なＳＣＳのためのシンボル継続時間のいくつかの例を示す図である。
【００１０】
【図１Ｂ】図１Ｂは、従来の解決法による様々なＳＣＳのためのスロット継続時間のいくつかの例を示す図である。
【００１１】
【図２Ａ】図２Ａは、Ｎのタイムスロットの継続時間及びＫのタイムスロットの継続時間が明示的でない場合にＰＤＳＣＨの様々な開始位置と組み合わされたＰＤＣＣＨの様々な終了位置を示す図である。
【図２Ｂ】図２Ｂは、Ｎのタイムスロットの継続時間及びＫのタイムスロットの継続時間が明示的でない場合にＰＤＳＣＨの様々な開始位置と組み合わされたＰＤＣＣＨの様々な終了位置を示す図である。
【図２Ｃ】図２Ｃは、Ｎのタイムスロットの継続時間及びＫのタイムスロットの継続時間が明示的でない場合にＰＤＳＣＨの様々な開始位置と組み合わされたＰＤＣＣＨの様々な終了位置を示す図である。
【図２Ｄ】図２Ｄは、Ｎのタイムスロットの継続時間及びＫのタイムスロットの継続時間が明示的でない場合にＰＤＳＣＨの様々な開始位置と組み合わされたＰＤＣＣＨの様々な終了位置を示す図である。
【００１２】
【図３】図３は、本明細書に提示される実施形態が適用され得る通信システム３００を示す図である。
【００１３】
【図４】図４は、本開示の実施形態に係る方法４００を示すフローチャートである。
【００１４】
【図５Ａ】図５Ａは、本開示の一実施形態に係る、第１の通信に関連付けられる第１の位置５１０を決定する様子を示す図であり、ここで第１の参照ニューメロロジーは、第１の通信により用いられる第１のニューメロロジーと同じである。
【図５Ｂ】図５Ｂは、本開示の一実施形態に係る、第１の通信に関連付けられる第１の位置５１０を決定する様子を示す図であり、ここで第１の参照ニューメロロジーは、第１の通信により用いられる第１のニューメロロジーと同じである。
【図５Ｃ】図５Ｃは、本開示の一実施形態に係る、第１の通信に関連付けられる第１の位置５１０を決定する様子を示す図であり、ここで第１の参照ニューメロロジーは、第１の通信により用いられる第１のニューメロロジーと同じである。
【００１５】
【図６Ａ】図６Ａは、本開示の一実施形態に係る、第１の通信に関連付けられる第１の位置６１０を決定する様子を示す図であり、ここで第１の参照ニューメロロジーは、第２の通信により用いられる第２のニューメロロジーと同じである。
【図６Ｂ】図６Ｂは、本開示の一実施形態に係る、第１の通信に関連付けられる第１の位置６１０を決定する様子を示す図であり、ここで第１の参照ニューメロロジーは、第２の通信により用いられる第２のニューメロロジーと同じである。
【図６Ｃ】図６Ｃは、本開示の一実施形態に係る、第１の通信に関連付けられる第１の位置６１０を決定する様子を示す図であり、ここで第１の参照ニューメロロジーは、第２の通信により用いられる第２のニューメロロジーと同じである。
【図６Ｄ】図６Ｄは、本開示の一実施形態に係る、第１の通信に関連付けられる第１の位置６１０を決定する様子を示す図であり、ここで第１の参照ニューメロロジーは、第２の通信により用いられる第２のニューメロロジーと同じである。
【００１６】
【図７Ａ】図７Ａは、本開示の一実施形態に係る、第１の通信に関連付けられる第１の位置７１０を決定する様子を示す図であり、ここで第１の参照ニューメロロジーは、第１の通信により用いられる第１のニューメロロジーと第２の通信により用いられる第２のニューメロロジーとの最小のニューメロロジーである。
【図７Ｂ】図７Ｂは、本開示の一実施形態に係る、第１の通信に関連付けられる第１の位置７１０を決定する様子を示す図であり、ここで第１の参照ニューメロロジーは、第１の通信により用いられる第１のニューメロロジーと第２の通信により用いられる第２のニューメロロジーとの最小のニューメロロジーである。
【図７Ｃ】図７Ｃは、本開示の一実施形態に係る、第１の通信に関連付けられる第１の位置７１０を決定する様子を示す図であり、ここで第１の参照ニューメロロジーは、第１の通信により用いられる第１のニューメロロジーと第２の通信により用いられる第２のニューメロロジーとの最小のニューメロロジーである。
【００１７】
【図８Ａ】図８Ａは、本開示の一実施形態に係る、第１の通信に関連付けられる第１の位置８１０を決定する様子を示す図であり、ここで、第１の参照ニューメロロジーは、第１の通信により用いられる第１のニューメロロジーと第２の通信により用いられる第２のニューメロロジーとの最大のニューメロロジーである。
【図８Ｂ】図８Ｂは、本開示の一実施形態に係る、第１の通信に関連付けられる第１の位置８１０を決定する様子を示す図であり、ここで第１の参照ニューメロロジーは、第１の通信により用いられる第１のニューメロロジーと第２の通信により用いられる第２のニューメロロジーとの最大のニューメロロジーである。
【図８Ｃ】図８Ｃは、本開示の一実施形態に係る、第１の通信に関連付けられる第１の位置８１０を決定する様子を示す図であり、ここで第１の参照ニューメロロジーは、第１の通信により用いられる第１のニューメロロジーと第２の通信により用いられる第２のニューメロロジーとの最大のニューメロロジーである。
【００１８】
【図９Ａ】図９Ａは、本開示の一実施形態に係る、第１の通信に関連付けられる第１の位置９１０を決定する様子を示す図であり、ここで、第１の参照ニューメロロジーは、第１の通信により用いられる第１のニューメロロジー又は第２の通信により用いられる第２のニューメロロジーとは異なる。
【図９Ｂ】図９Ｂは、本開示の一実施形態に係る、第１の通信に関連付けられる第１の位置９１０を決定する様子を示す図であり、ここで、第１の参照ニューメロロジーは、第１の通信により用いられる第１のニューメロロジー又は第２の通信により用いられる第２のニューメロロジーとは異なる。
【図９Ｃ】図９Ｃは、本開示の一実施形態に係る、第１の通信に関連付けられる第１の位置９１０を決定する様子を示す図であり、ここで、第１の参照ニューメロロジーは、第１の通信により用いられる第１のニューメロロジー又は第２の通信により用いられる第２のニューメロロジーとは異なる。
【図９Ｄ】図９Ｄは、本開示の一実施形態に係る、第１の通信に関連付けられる第１の位置９１０を決定する様子を示す図であり、ここで、第１の参照ニューメロロジーは、第１の通信により用いられる第１のニューメロロジー又は第２の通信により用いられる第２のニューメロロジーとは異なる。
【００１９】
【図１０】図１０は、第１の通信と第２の通信との間の時間間隔１０１０を決定する様子を示す図である。
【００２０】
【図１１Ａ】図１１Ａは、本開示の一実施形態に係る、第１の時間位置１１１０及び時間間隔１１２０に基づいて第２の通信に関連付けられる第２の時間位置１１３０を決定する様子を示す図である。
【図１１Ｂ】図１１Ｂは、本開示の一実施形態に係る、第１の時間位置１１１０及び時間間隔１１２０に基づいて第２の通信に関連付けられる第２の時間位置１１３０を決定する様子を示す図である。
【００２１】
【図１２Ａ】図１２Ａは、第１の通信と第２の通信との間のＳＣＳの組み合わせの制限を示す図である。
【図１２Ｂ】図１２Ｂは、第１の通信と第２の通信との間のＳＣＳの組み合わせの制限を示す図である。
【図１２Ｃ】図１２Ｃは、第１の通信と第２の通信との間のＳＣＳの組み合わせの制限を示す図である。
【００２２】
【図１３】図１３は、ネットワークデバイス３３０と端末デバイス３２０との間の例示的なインタラクション１３００を示す図である。
【００２３】
【図１４】図１４は、ネットワークデバイス３３０と端末デバイス３２０との間の例示的なインタラクション１４００を示す図である。
【００２４】
【図１５】図１５は、ネットワークデバイス３３０と端末デバイス３２０との間の例示的なインタラクション１５００を示す図である。
【００２５】
【図１６】図１６は、ネットワークデバイス３３０と端末デバイス３２０との間の例示的なインタラクション１６００を示す図である。
【００２６】
【図１７】図１７は、本開示の実施形態を実施するのに適したデバイス１７００の簡略化したブロック図である。
【００２７】
【図１８】図１８は、本開示の実施形態を実施するのに適した装置１８００の簡略化したブロック図である。
【発明を実施するための形態】
【００２８】
ここで、本明細書に記載する主題について、いくつかの例示的な実施形態を参照して説明する。これらの実施形態は、本開示の主題の範囲に対するいかなる限定を示唆するものでもなく、当業者が本明細書に記載する主題をよりよく理解して実施することを可能にする目的でのみ説明されることを理解されたい。
【００２９】
本明細書で用いられる用語は、具体的な実施形態を説明する目的でのみ用いられるものであり、例示的な実施形態を限定することは意図していない。本明細書で使用される単数形「１つの（ａ）」、「１つの（ａｎ）」及び「その（ｔｈｅ）」は、文脈がそうでないことを明確に示さない限り、複数形も含むことを意図している。本明細書内で用いる「備える（ｃｏｍｐｒｉｓｅｓ）」、「備え（ｃｏｍｐｒｉｓｉｎｇ）」、「含む（ｉｎｃｌｕｄｅｓ）」及び／又は「含み（ｉｎｃｌｕｄｉｎｇ）」という語は、述べられる特徴、整数、ステップ、動作、要素及び／又は構成要素の存在を特定するものであり、１つ又は複数の特徴、整数、ステップ、動作、要素、構成要素及び／又はそれらのグループの存在又は追加を除外するものではないことがさらに理解されるであろう。
【００３０】
いくつかの代替的な実施態様では、記載されている機能／動作は図面に記載されている順序以外の順序で起こり得ることに留意されたい。例えば、連続して示される２つの機能又は動作は、関連する機能／動作によっては実際には同時に実行され、又は、時には逆の順序で実行されることがあり得る。
【００３１】
本明細書で用いられる「通信ネットワーク」という用語は、Ｌｏｎｇ  Ｔｅｒｍ  Ｅｖｏｌｕｔｉｏｎ（ＬＴＥ）、ＬＴＥ−Ａｄｖａｎｃｅｄ（ＬＴＥ−Ａ）、広帯域符号分割多元接続（ＷＣＤＭＡ）、高速パケットアクセス（ＨＳＰＡ）、新無線（ＮＲ）アクセス等、任意の適当な通信規格に従うネットワークを指すものである。さらに、通信ネットワークにおける端末デバイスとネットワークデバイスとの間の通信は、限定されないが、第１世代（１Ｇ）、第２世代（２Ｇ）、２．５Ｇ、２．７５Ｇ、第３世代（３Ｇ）、第４世代（４Ｇ）、４．５Ｇ、将来の第５世代（５Ｇ）の通信プロトコル、及び／又は現在知られている又は将来開発されるであろう他のいかなるプロトコルをも含む、任意の適当な世代通信プロトコルに従って実施されてもよい。
【００３２】
本開示の実施形態は、様々な通信システムに適用され得る。通信の急速な発展を考慮すると、本開示が実現され得る将来型の通信技術及び通信システムも登場することになるだろう。当然ながら、本開示の範囲が上記のシステムのみに限定されるものとみなされるべきではない。
【００３３】
「通信デバイス」という用語は、限定されないが、「ネットワークデバイス」及び「端末デバイス」を含む。「ネットワークデバイス」という用語は、限定されないが、基地局（ＢＳ）、ゲートウェイ、管理エンティティ、及び通信システムにおける他の適当なデバイスを含む。「基地局」又は「ＢＳ」という用語は、ノードＢ（ＮｏｄｅＢ又はＮＢ）、ｅｖｏｌｖｅｄ  ＮｏｄｅＢ（ｅＮｏｄｅＢ又はｅＮＢ）、次世代ＮｏｄｅＢ（ｇＮＢ）、リモート無線ユニット（ＲＲＵ）、無線ヘッダ（ＲＨ）、リモート無線ヘッド（ＲＲＨ）、リレー、フェムト、ピコ等の低電力ノードを含む。
【００３４】
「端末デバイス」という用語は、限定されないが、「ユーザ装置（ＵＥ）」及びネットワークデバイスと通信可能な他の適当なエンドデバイスを含む。例として、「端末デバイス」は、端末、モバイル端末（ＭＴ）、加入者局（ＳＳ）、携帯加入者局、移動局（ＭＳ）、又はアクセス端末（ＡＴ）を意味し得る。
【００３５】
本開示の文脈において、「ニューメロロジー」という用語は、パラメータのセットを意味する。パラメータは、例えば、限定されないが、サブキャリア間隔（ＳＣＳ）、シンボル長、サイクリックプリフィックス（ＣＰ）長等を含む。例えば、１５ＫＨｚのサブキャリア間隔のニューメロロジーは、１ミリ秒、通常ＣＰ等に１４個のシンボルを含んでもよい。３０ＫＨｚのサブキャリア間隔のニューメロロジーは、１ミリ秒、通常ＣＰ等に２８個のシンボルを含んでもよい。これらのニューメロロジーは、１５ＫＨｚのサブキャリア間隔のニューメロロジーとは異なる。
【００３６】
上述したように、ＮＲシステムでは複数のニューメロロジーがサポートされる。３８．９１２では、ＮＲのためのニューメロロジー及びフレーム構造が決定される。ニューメロロジーは、サブキャリア間隔及びＣＰオーバーヘッドによって定義される。マルチサブキャリア間隔は、整数Ｍによって基本キャリア間隔（ｂａｓｉｃ  ｃａｒｒｉｅｒ  ｓｐａｃｉｎｇ）をスケーリングすることによって導出される。サブフレーム継続時間は１ｍｓに固定され、フレーム長は１０ｍｓに固定される。スケーリング可能なニューメロロジーは、少なくとも１５ｋＨｚから４８０ｋＨｚのサブキャリア間隔を許容すべきである。異なる周波数帯にはいくつかの異なるサブキャリア間隔値がある。例えば、周波数帯が１ＧＨｚ未満である場合、サブキャリア間隔の値は１５ｋＨｚ及び３０ｋＨｚであってもよい。周波数帯が１ＧＨｚ〜６ＧＨｚである場合、サブキャリア間隔の値は１５ｋＨｚ、３０ｋＨｚ、及び６０ｋＨｚであってもよい。周波数帯が２４ＧＨｚ〜５２．６ＧＨｚである場合、サブキャリア間隔の値は６０ｋＨｚ及び３２０ｋＨｚであってもよい。つまり、サブキャリア周波数の値は周波数帯によって変わる。サブキャリア間隔の値が６０ｋＨｚ以下である場合、通常１タイムスロットに７又は１４ＯＦＤＭシンボル存在する。サブキャリア間隔の値が６０ｋＨｚを超える場合、通常１タイムスロットに１４ＯＦＤＭシンボル存在する。
【００３７】
図１Ａは、従来の解決法によるＳＣＳの様々な値のためのシンボル継続時間のいくつかの例を示す図である。図１Ｂは、従来の解決法によるＳＣＳの様々な値のためのスロット継続時間のいくつかの例を示す図である。図１Ｂに示すように、サブキャリア間隔の値が１５ｋＨｚである場合、一例では、１つのスロットに１４個のシンボルが存在してもよく、スロット継続時間は１ｍｓであってもよい。別の例では、１つのスロットに７個のシンボルが存在してもよく、スロット継続時間は０．５ｍｓであってもよい。サブキャリア間隔の値が３０ｋＨｚである場合、一例では、１つのスロットに１４個のシンボルが存在してもよく、スロット継続時間は０．５ｍｓであってもよい。別の例では、１つのスロットに７個のシンボルが存在してもよく、スロット継続時間は０．２５ｍｓであってもよい。サブキャリア間隔の値が６０ｋＨｚである場合、一例では、１つのスロットに１４個のシンボルが存在してもよく、スロット継続時間は０．２５ｍｓであってもよい。別の例では、１つのスロットに７個のシンボルが存在してもよく、スロット継続時間は０．１２５ｍｓであってもよい。サブキャリア間隔の値が１２０ｋＨｚである場合、例えば、１つのスロットに１４個のシンボルが存在してもよく、スロット継続時間は０．１２５ｍｓであってもよい。サブキャリア間隔の値が２４０ｋＨｚである場合、一例では、１つのスロットに１４個のシンボルが存在が存在してもよく、スロット継続時間は０．０６２５ｍｓであってもよい。サブキャリア間隔の値が４８０ｋＨｚである場合、一例では、１つのスロットに１４個のシンボルが存在してもよく、スロット継続時間は０．０３１２５ｍｓであってもよい。
【００３８】
ＮＲシステムでは、スケジューリング及び／又はフィードバック遅延に関して合意がなされている。例えば、スロットベースのスケジューリングについては、ＮＲ仕様書は、スロットＮにおけるダウンリンク（ＤＬ）データ受信及びスロットＮ＋ｋ１における対応する肯定応答、スロットＮにおけるアップリンク（ＵＬ）割り当て及びスロットＮ＋ｋ２における対応するＵＬデータ送信をサポートするはずである。サブキャリア間隔の値が互いに異なる場合、ＯＦＤＭシンボル及び／又はスロットの時間間隔の長さ／継続時間は異なっていてもよい。最近の合意では、ＮＲにおけるタイミング関係（例えば、ハイブリッド自動再送要求、及びＤＬ割り当て送信と対応するＤＬデータ送信との間のタイミング）はなおスロット単位で示される。このような状況では、仮に交差ニューメロロジースケジューリングがサポートされる場合、２つのニューメロロジーにおけるスロットの継続時間は異なっていてもよい。例えば、物理ダウンリンク制御チャネル（ＰＤＣＣＨ）は１５ｋＨｚで送信され、物理ダウンリンク共有チャネル（ＰＤＳＣＨ）は３０ｋＨｚでスケジューリングされる。ＰＤＣＣＨとＰＤＳＣＨとの間のスケジューリング間隔はＮ＋Ｋである。Ｎはタイムスロットのインデックスを表し、Ｋはタイムスロットの数を表す。この状況では、Ｎが１５ｋＨｚのスロット継続時間に基づいているかどうか又は３０ｋＨｚのスロット継続時間に基づいているかどうかは未知である。言い換えると、ＰＤＣＣＨの終了位置又はＰＤＳＣＨのＫをカウントする開始位置は未知である。Ｋが１５ｋＨｚのスロット継続時間及び３０ｋＨｚのスロット継続時間に基づいているかどうかもまた未知である。言い換えると、ＰＤＳＣＨの開始位置は未知である。
【００３９】
図２Ａ〜図２Ｄは、Ｎのタイムスロットの継続時間及びＫのタイムスロットの継続時間が明示的でない場合にＰＤＳＣＨの様々な開始位置と組み合わされたＰＤＣＣＨの様々な終了位置を示す図である。図２Ａ〜図２Ｄに示す例では、Ｋの値は２であり、ｐ及びｑはそれぞれ１５ｋＨｚのタイムスロット及び３０ｋＨｚのタイムスロットを示す。図２Ａは、Ｎが１５ｋＨｚのスロット継続時間に基づき、Ｋが３０ｋＨｚのスロット継続時間に基づく場合のＰＤＣＣＨのあり得る終了位置及びＰＤＳＣＨのあり得る開始位置を示す。図２Ｂは、Ｎ及びＫの両方が３０ｋＨｚのスロット継続時間に基づく場合のＰＤＣＣＨのあり得る終了位置及びＰＤＳＣＨのあり得る開始位置を示す。図２Ｃは、Ｎ及びＫの両方が１５ｋＨｚのスロット継続時間に基づく場合のＰＤＣＣＨのあり得る終了位置及びＰＤＳＣＨのあり得る開始位置を示す。図２Ｄは、Ｎが３０ｋＨｚのスロット継続時間に基づきＫが１５ｋＨｚのスロット継続時間に基づく場合のＰＤＣＣＨのあり得る終了位置及びＰＤＳＣＨのあり得る開始位置を示す。図示してはいないが、上記の状況は、ＰＤＣＣＨスケジューリングＰＵＳＣＨ、ＰＤＳＣＨのためのＡＣＫ／ＮＡＣＫフィードバック及びＰＲＡＣＨ送信のＲＡＲ受信においてもまた存在する。
【００４０】
上記の、及び他の起こり得る問題を解決するために、本開示の実施形態は交差ニューメロロジースケジューリングのための解決策を提供する。
【００４１】
ここで、図面を参照して、以下本開示のいくつかの例示的な実施形態について説明する。図３を最初に参照する。図３は、本明細書で説明する実施形態が適用される通信システム３００を示す図である。通信システム３００では、端末デバイス（例えば、ＵＥ）３２０と通信するネットワークデバイス（例えば、ｅＮＢ）３３０が示される。
【００４２】
ここで、添付の図面を参照して、本開示のいくつかの例示的な実施形態について以下説明する。図４は、本開示の実施形態に係る方法４００を示すフローチャートである。この方法４００は、ネットワークデバイス３３０（例えば、ｅＮＢ）と端末デバイス３２０（例えば、ＵＥ）とを含む通信デバイスにより実施されてもよい。
【００４３】
４０２では、通信デバイスは、第１の通信に関連付けられる第１の時間位置と、第１の通信と第２の通信との間の時間間隔と、のうちの少なくとも１つを決定する。第１の通信は第１のニューメロロジーを用い、第２の通信は第２のニューメロロジーを用い第１の通信に応答して行われる。
【００４４】
いくつかの実施形態では、方法４００はさらに、第１の参照ニューメロロジーに基づいて第１の参照タイムスロットの継続時間を決定すること、及び第１の参照タイムスロットの継続時間及び第１の参照タイムスロットのインデックスに基づいて第１の時間位置を決定することを含む。例えば、第１の参照タイムスロットの継続時間は、第１の参照ニューメロロジーのサブキャリア間隔の値及び／又はＣＰ長に基づいて決定されてもよい。
【００４５】
いくつかの実施形態では、第１の通信は、ダウンリンクデータ割り当てのためのダウンリンク制御情報、アップリンクデータ割り当てのためのダウンリンク制御情報、データのダウンリンク送信／受信、及びランダムアクセス送信、のうちの少なくとも１つであってもよい。いくつかの実施形態では、第２の通信は、データのダウンリンク送信／受信、データのアップリンク送信／受信、データのダウンリンク送信／受信のための肯定応答、及びランダムアクセスチャネル送信のための応答、のうちの少なくとも１つであってもよい。
【００４６】
いくつかの実施形態では、第１の時間位置は、第１の通信のための継続時間の終了時、及び／又は第２の通信のためのシンボル／スロット／ミニスロットの数のカウントの開始時であってもよい。第１の通信のための継続時間は、第１の通信のために設定されるサブキャリア間隔の値及び／又はＣＰ長に基づいたスロット／シンボル／ミニスロットの継続時間であってもよい。一実施形態では、第１の時間位置は、第１の通信のためのスロットの終了時であってもよい。スロット継続時間は、第１の通信のために設定されるサブキャリア間隔の値及び／又はＣＰ長に基づいてもよい。
【００４７】
図５Ａ〜図５Ｃは、本開示の例示的な一実施形態に係る、第１の通信に関連付けられる第１の位置５１０を決定する様子を示す図であり、ここで、第１の参照ニューメロロジーは、第１の通信により用いられる第１のニューメロロジーと同じである。つまり、第１の参照ニューメロロジーのサブキャリア間隔の値及び／又はＣＰ長は、第１の通信により用いられる第１の参照ニューメロロジーのサブキャリア間隔の値及び／又はＣＰ長と同じであってもよい。いくつかの実施形態では、第１の通信及び第２の通信は、ダウンリンクデータ割り当てのためのダウンリンク制御情報及びデータのダウンリンク送信、アップリンクデータ割り当てのためのダウンリンク制御情報及びデータのアップリンク送信、データのダウンリンク送信及びデータのダウンリンク送信のための肯定応答、及びランダムアクセス送信及びランダムアクセスチャネル送信のための応答のうちの１つであってもよい。
【００４８】
例として、図５Ａ〜図５Ｃに示すように、第１の通信は第１のニューメロロジーを用い、例えば、第１の通信のためのＳＣＳはＳ０ｋＨｚである。第２の通信は第２のニューメロロジー用い、例えば、第２の通信のためのＳＣＳはＳ１ｋＨｚである。上述したように、図５Ａ〜図５Ｃでは、第１の通信により用いられる第１の参照ニューメロロジーのサブキャリア間隔の値及び／又はＣＰ長は、第１の参照ニューメロロジーのサブキャリア間隔の値及び／又はＣＰ長として用いられる。したがって、図５Ａ〜図５Ｃでは、第１の参照タイムスロットの継続時間はＴ０であり、これはサブキャリア間隔の値及び／又はＣＰ長に基づいて決定される。第１の時間位置５１０は、第１の参照タイムスロット（本実施形態では、ｐ、ｐ＋１、．．．、ｐ＋ｒ）の継続時間Ｔ０及び第１の参照タイムスロットのインデックスＮに基づいて決定される。いくつかの実施形態では、方法４００が端末デバイス３２０により実施される際、第１の参照タイムスロットのインデックスは、ネットワークデバイス３３０から送信されるメッセージから得られる。いくつかの実施形態では、方法４００が端末デバイス３２０により実施される際、第１の参照タイムスロットのインデックスは、ネットワークデバイス３３０から送信されるメッセージから得られる。いくつかの実施形態では、方法４００が端末デバイス３２０により実施される際、第１の通信の第１のニューメロロジー、第２の通信の第２のニューメロロジー、第１の参照タイムスロットの第１の参照ニューメロロジーは、ネットワークデバイス３３０により設定される。いくつかの実施形態では、第１の参照タイムスロットのサブキャリア間隔の値及び／又はＣＰ長は、第１の通信のために設定されたサブキャリア間隔の値及び／又はＣＰ長と同じであってもよい。つまり、第１の参照タイムスロットのサブキャリア間隔の第１の参照値及び／又はＣＰ長の定義はなくてもよい。
【００４９】
図５Ａでは、第１の通信のためのＳＣＳは、第２の通信のためのＳＣＳよりも小さい。図５Ａに示すように、第１の時間位置５１０は、第１の通信のタイムスロットｐの終了時であってもよく、且つ／又は第２の通信のタイムスロットｑ＋ｓの終了時であってもよい。
【００５０】
図５Ｂでは、第１の通信のためのＳＣＳは第２の通信のためのＳＣＳよりも大きく、第１の通信は、第１の通信のタイムスロットｐの継続時間内に終了する。図５Ｂに示すように、第１の時間位置５１０は、第１の通信のタイムスロットｐの終了時であってもよく且つ／又は第２の通信のタイムスロットｑ内である。
【００５１】
図５Ｃでは、第１の通信のためのＳＣＳは第２の通信のためのＳＣＳよりも大きく、第１の通信は、第１の通信のタイムスロットｐ＋１の継続時間内に終了する。図５Ｃに示すように、第１の時間位置５１０は、第１の通信のタイムスロットｐ＋１の終了時であってもよく且つ／又は第２の通信のタイムスロットｑ内である。
【００５２】
いくつかの実施形態では、第１の時間位置は、第１の通信の終了の後のタイムスロットの開始又は終了時及び／又は第２の通信のためのシンボル／スロット／ミニスロットの数のカウントの開始時であってもよい。継続時間は、第２の通信のために設定されたサブキャリア間隔の値及び／又はＣＰ長に基づくスロット／シンボル／ミニスロットの継続時間であってもよい。いくつかの実施形態では、第１の時間位置は第１の通信の後の最も早いタイムスロットの開始時であってもよく、継続時間は第２の通信のために設定されたサブキャリア間隔の値及び／又はＣＰ長に基づいてもよい。
【００５３】
図６Ａ〜図６Ｄは、本開示の例示的な一実施形態に係る、第１の通信に関連付けられる第１の位置６１０を決定する様子を示す図であり、ここで第１の参照ニューメロロジーは第２の通信により用いられる第２のニューメロロジーと同じである。すなわち、第１の参照ニューメロロジーのサブキャリア間隔の値及び／又はＣＰ長は、第２の通信により用いられる第２のニューメロロジーのサブキャリア間隔の値及び／又はＣＰ長と同じである。
【００５４】
例として、図６Ａ〜図６Ｄに示すように、第１の通信は第１のニューメロロジーを用い、例えば、第１の通信のためのＳＣＳはＳ０ｋＨｚである。第２の通信は第２のニューメロロジーを用い、例えば、第２の通信のためのＳＣＳはＳ１ｋＨｚである。上述したように、図６Ａ〜図６Ｄでは、第２の通信の第２のニューメロロジーのサブキャリア間隔の値及び／又はＣＰ長は、第１の参照ニューメロロジーのサブキャリア間隔の値及び／又はＣＰ長として用いられる。したがって、図６Ａ〜図６Ｄでは、第１の参照タイムスロットの継続時間はＴ１であり、これは第２のニューメロロジーに基づいて決定される。例えば、第１の参照タイムスロットの継続時間は、第２のニューメロロジーのサブキャリア間隔の値及び／又はＣＰ長に基づいて決定されてもよい。第１の時間位置６１０は、第１の参照タイムスロット（本実施形態では、ｑ、ｑ＋１、．．．、ｑ＋ｓ）の継続時間Ｔ１と第１の参照タイムスロットのインデックスＮとに基づいて決定されてもよい。いくつかの実施形態では、方法４００が端末デバイス３２０により実施される際、第１の参照タイムスロットのインデックスはネットワークデバイス３３０から送信されるメッセージにより得られる。いくつかの実施形態では、方法４００が端末デバイス３２０により実施される際、第１の通信の第１のニューメロロジー、第２の通信の第２のニューメロロジー及び第１の参照タイムスロットの第１の参照はネットワークデバイス３３０により設定される。いくつかの実施形態では、第１の参照タイムスロットのサブキャリア間隔の第１の参照値及び／又はＣＰ長は、第２の通信のために設定されたサブキャリア間隔の値及び／又はＣＰ長と同じである。すなわち、第１の参照タイムスロットのサブキャリア間隔の第１の参照値及び／又はＣＰ長の定義はない。
【００５５】
図６Ａでは、第１の通信のためのＳＣＳは、第２の通信のためのＳＣＳよりも小さい。図６Ａに示すように、第１の時間位置６１０は第１の通信のタイムスロットｐ内である、且つ／又は第２の通信のタイムスロットｑの終了時であってもよい。第１の時間位置は、第１の通信の終了の後である。
【００５６】
図６Ｂでは、第１の通信のためのＳＣＳは第２の通信のためのＳＣＳよりも大きく、第１の通信は、第１の通信のタイムスロットｐの継続時間内に終了する。図６Ｂに示すように、第１の時間位置６１０は、第１の通信のタイムスロットｐ＋ｓの終了時であってもよく且つ／又は第２の通信のタイムスロットｑの終了時であってもよい。第１の時間位置は、第１の通信の終了の後である。
【００５７】
図６Ｃでは、第１の通信のためのＳＣＳは第２の通信のためのＳＣＳよりも大きく、第１の通信は、第１の通信のタイムスロットｐ＋１の継続時間内に終了する。図６Ｃに示すように、第１の時間位置６１０は、第１の通信のタイムスロットｐ＋ｓの終了時であってもよく且つ／又は第２の通信のタイムスロットｑの終了時であってもよい。第１の時間位置は、第１の通信の終了の後である。
【００５８】
図６Ｄでは、第１の通信のためのＳＣＳは第２の通信のためのＳＣＳよりも小さく、第１の通信は、第２の通信のタイムスロットｑ＋１の継続時間内に終了する。図６Ｄに示すように、第１の時間位置６１０は、第１の通信が終了した後の第２の通信の第１のタイムスロットｑ＋２の開始時であってもよい。第１の時間位置６１０はまた、タイムスロットｑ＋１の終了時であってもよく、ここで第１の通信は終了する。第１の時間位置は、第１の通信の終了の後である。
【００５９】
いくつかの実施形態では、第１の時間位置は、第１の通信の終了の後の後であるタイムスロットの開始又は終了時及び／又は第２の通信のためのシンボル／スロット／ミニスロットの数のカウントの開始時であってもよい。継続時間は、第１の通信により用いられるサブキャリア間隔の第１の値及び／又はＣＰ長と、第２の通信により用いられるサブキャリア間隔の第２の値及び／又はＣＰ長との間のサブキャリア間隔の最小値及び／又はＣＰ長に基づくスロット／シンボル／ミニスロットの継続時間であってもよい。いくつかの実施形態では、第１の時間位置は、第１の通信の後の最も早いタイムスロットの開始時であってもよく、継続時間は、第１の通信により用いられるサブキャリア間隔の第１の値及び／又はＣＰ長と、第２の通信により用いられるサブキャリア間隔の第２の値及び／又はＣＰ長との間のサブキャリア間隔の最小値及び／又はＣＰ長に基づいてもよい。
【００６０】
図７Ａ〜図７Ｃは、本開示の例示的な一実施形態に係る、第１の通信に関連付けられる第１の位置７１０を決定する様子を示す図であり、ここで、第１の参照ニューメロロジーは、第１の通信により用いられる第１のニューメロロジーと第２の通信により用いられる第２のとの最小のニューメロロジーである。すなわち、第１の参照ニューメロロジーのサブキャリア間隔の値及び／又はＣＰ長は、第１のニューメロロジー及び第２のニューメロロジーのサブキャリア間隔の最小値及び／又は最小ＣＰ長と同じである。
【００６１】
例として、図７Ａ〜図７Ｃに示すように、第１の通信は第１のニューメロロジーを用い、例えば、第１の通信のためのＳＣＳはＳ０ｋＨｚである。第２の通信は第２のニューメロロジーを用い、例えば、第２の通信のためのＳＣＳはＳ１ｋＨｚである。上述したように、図７Ａ〜図７Ｃでは、サブキャリア間隔及び／又はＣＰ長の第１の値とサブキャリア間隔及び／又はＣＰ長の第２の値との間のサブキャリア間隔及び／又はＣＰ長の最小値は、サブキャリア間隔及び／又はＣＰ長の第１の参照値として用いられる。いくつかの実施形態では、方法４００が端末デバイス３２０により実施される際、第１の参照タイムスロットのインデックスは、ネットワークデバイス３３０から送信されるメッセージから得られる。いくつかの実施形態では、方法４００が端末デバイス３２０により実施される際、第１の通信の第１のニューメロロジー、第２の通信の第２のニューメロロジー及び／又は第１の参照タイムスロットの第１の参照ニューメロロジーはネットワークデバイス３３０により設定される。いくつかの実施形態では、第１の参照タイムスロットのサブキャリア間隔の第１の参照値及び／又はＣＰ長は、第１の通信により用いられるサブキャリア間隔の第１の値及び／又はＣＰ長と、第２の通信により用いられるサブキャリア間隔の第２の値及び／又はＣＰ長との間のサブキャリア間隔の最小値及び／又はＣＰ長と同じである。すなわち、第１の参照タイムスロットのサブキャリア間隔の第１の参照値及び／又はＣＰ長の定義はなくてもよい。
【００６２】
図７Ａでは、第１の通信のためのＳＣＳは第２の通信のためのＳＣＳよりも小さい。したがって、第１の通信のサブキャリア間隔の第１の値及び／又はＣＰ長は、第１の参照ニューメロロジーのサブキャリア間隔の値及び／又はＣＰ長として用いられ、第１の参照タイムスロットの継続時間はＴ０であり、これは第１の参照ニューメロロジーのサブキャリア間隔の値及び／又はＣＰ長に基づいて決定される。第１の時間位置７１０は、第１の参照タイムスロット（本実施形態では、ｐ、ｐ＋１、．．．、ｐ＋ｒ）の継続時間Ｔ０及び第１の参照タイムスロットのインデックスＮに基づいて決定される。図７Ａに示すように、第１の時間位置７１０は、第１の通信のタイムスロットｐの終了時であってもよく且つ／又は第２の通信のタイムスロットｑ＋ｓの終了時であってもよい。
【００６３】
図７Ｂでは、第１の通信のためのＳＣＳは、第２の通信のためのＳＣＳよりも大きく、第１の通信は、第１の通信のタイムスロットｐの継続時間内に終了する。したがって、第２の通信により用いられる第２のニューメロロジーのサブキャリア間隔の値及び／又はＣＰ長は第１の参照ニューメロロジーのサブキャリア間隔の値及び／又はＣＰ長として用いられ、第１の参照タイムスロットの継続時間はＴ１であり、これは第２の通信により用いられる第２のニューメロロジーのサブキャリア間隔の値及び／又はＣＰ長に基づいて決定される。図７Ｂに示すように、第１の時間位置７１０は第１の通信のタイムスロットｐ＋ｓの終了時であってもよく且つ／又は第２の通信のタイムスロットｑの終了時であってもよい。第１の時間位置は、第１の通信の終了の後である。
【００６４】
図７Ｃでは、第１の通信のためのＳＣＳは、第２の通信のためのＳＣＳよりも大きく、第１の通信は、第１の通信のタイムスロットｐ＋１の継続時間内に終了する。図７Ｃに示すように、第１の時間位置７１０は、第１の通信のタイムスロットｐ＋ｓの終了時であってもよく且つ／又は第２の通信のタイムスロットｑの終了時であってもよい。第１の時間位置は、第１の通信の終了の後である。
【００６５】
いくつかの実施形態では、第１の時間位置は、第１の通信の終了の後のタイムスロットの開始又は終了時でもよく且つ／又は第２の通信のためのシンボル／スロット／ミニスロットの数のカウントの開始時であってもよい。継続時間は、第１の通信により用いられるサブキャリア間隔の第１の値及び／又はＣＰ長と、第２の通信により用いられるサブキャリア間隔の第２の値及び／又はＣＰ長との間のサブキャリア間隔の最大値及び／又はＣＰ長に基づくスロット／シンボル／ミニスロットの継続時間であってもよい。いくつかの実施形態では、第１の時間位置は、第１の通信の後の最も早いタイムスロットの開始時であってもよく、継続時間は、第１の通信により用いられるサブキャリア間隔の第１の値及び／又はＣＰ長と第２の通信により用いられるサブキャリア間隔の第２の値及び／又はＣＰ長との間のサブキャリア間隔の最大値及び／又はＣＰ長に基づいてもよい。
【００６６】
図８Ａ〜図８Ｃは本開示の例示的な一実施形態に係る、第１の通信に関連付けられる第１の位置８１０を決定する様子を示す図であり、ここで、第１の参照ニューメロロジーは、第１の通信により用いられる第１のニューメロロジーと第２の通信により用いられる第２のニューメロロジーとの最大のニューメロロジーである。すなわち、第１の参照ニューメロロジーのサブキャリア間隔の値及び／又はＣＰ長は、第１の通信により用いられる第１の参照ニューメロロジーのサブキャリア間隔の値及び／又はＣＰ長と第２の通信により用いられる第２のニューメロロジーのサブキャリア間隔の値及び／又はＣＰ長との最大値である。
【００６７】
例として、図８Ａ〜図８Ｃに示すように、第１の通信は第１のニューメロロジーを用い、例えば、第１の通信のためのＳＣＳはＳ０ｋＨｚである。第２の通信は第２のニューメロロジーを用い、例えば、第２の通信のためのＳＣＳはＳ１ｋＨｚである。上述したように、図８Ａ〜図８Ｃでは、サブキャリア間隔の第１の値及び／又はＣＰ長とサブキャリア間隔の第２の値及び／又はＣＰ長との間のサブキャリア間隔の最大値及び／又はＣＰ長は、サブキャリア間隔の第１の参照値及び／又はＣＰ長として用いられる。いくつかの実施形態では、方法４００が端末デバイス３２０により実施される際、第１の参照タイムスロットのインデックスは、ネットワークデバイス３３０から送信されるメッセージから得られる。いくつかの実施形態では、方法４００が端末デバイス３２０により実施される際、第１の通信の第１のニューメロロジー、第２の通信の第２のニューメロロジー及び／又は第１の参照タイムスロットの第１の参照ニューメロロジーはネットワークデバイス３３０により設定される。いくつかの実施形態では、第１の参照タイムスロットのサブキャリア間隔の第１の参照値及び／又はＣＰ長は、第１の通信により用いられるサブキャリア間隔の第１の値及び／又はＣＰ長と第２の通信により用いられるサブキャリア間隔の第２の値及び／又はＣＰ長との間のサブキャリア間隔の最大値及び／又はＣＰ長と同じであってもよい。すなわち、第１の参照タイムスロットのためのサブキャリア間隔の第１の参照値及び／又はＣＰ長の定義はなくてもよい。
【００６８】
図８Ａでは、第１の通信のためのＳＣＳは、第２の通信のためのＳＣＳよりも小さい。したがって、第２の通信のサブキャリア間隔の第２の値及び／又はＣＰ長はサブキャリア間隔の第１の参照値及び／又はＣＰ長として用いられ、第１の参照タイムスロットの継続時間はＴ１であり、これはサブキャリア間隔の第２の値及び／又はＣＰ長に基づいて決定される。第１の時間位置８１０は、第１の参照タイムスロット（本実施形態では、ｑ、ｑ＋１、．．．、ｑ＋ｒ）の継続時間Ｔ１及び第１の参照タイムスロットのインデックスＮに基づいて決定される。図８Ａでは、第１の時間位置８１０は、第１の通信のタイムスロットｐ内であってもよく且つ／又は第２の通信のタイムスロットｑの終了時であってもよい。第１の時間位置は、第１の通信の終了の後である。
【００６９】
図８Ｂでは、第１の通信のためのＳＣＳは、第２の通信のためのＳＣＳよりも大きく、第１の通信は、第１の通信のタイムスロットｐの継続時間内に終了する。したがって、第１の通信のサブキャリア間隔の第１の値及び／又はＣＰ長はサブキャリア間隔の第１の参照値及び／又はＣＰ長として用いられ、第１の参照タイムスロットの継続時間はＴ０であり、これはサブキャリア間隔の第１の値及び／又はＣＰ長に基づいて決定される。図８Ｂに示すように、第１の時間位置８１０は、第１の通信のタイムスロットｐの終了時であってもよく且つ／又は第２の通信のタイムスロットｑの継続時間内であってもよい。第１の時間位置は、第１の通信の終了の後である。
【００７０】
図８Ｃでは、第１の通信のためのＳＣＳは第２の通信のためのＳＣＳよりも大きく、第１の通信は、第１の通信のタイムスロットｐ＋１の継続時間内に終了する。図８Ｃに示すように、第１の時間位置８１０は、第１の通信のタイムスロットｐ＋１の終了時であってもよく且つ／又は第２の通信のタイムスロットｑの継続時間内であってもよい。第１の時間位置は、第１の通信の終了の後である。
【００７１】
いくつかの実施形態では、第１の時間位置は、第１の通信の終了の後の後であるタイムスロットの開始又は終了時及び／又は第２の通信のためのシンボル／スロット／ミニスロットの数のカウントの開始時であってもよい。継続時間は、サブキャリア間隔の参照値及び／又はＣＰ長に基づくスロット／シンボル／ミニスロットの継続時間であってもよい。いくつかの実施形態では、第１の時間位置は、第１の通信の後の最も早いタイムスロットの開始時であってもよく、継続時間はサブキャリア間隔の参照値及び／又はＣＰ長に基づいてもよい。いくつかの実施形態では、サブキャリア間隔の参照値及び／又はＣＰ長は、ネットワークデバイスにより設定されてもよい。例えば、設定情報は、物理シグナリング、ＰＤＣＣＨ、無線リソース制御（ＲＲＣ）シグナリング、メディアアクセス制御（ＭＡＣ）シグナリング等のうちの少なくとも１つで送信されてもよい。いくつかの実施形態では、サブキャリア間隔の参照値及び／又はＣＰ長が、第１の通信及び第２の通信のためのサブキャリア間隔の様々な値の組み合わせ及び／又はＣＰ長で事前に定義されてもよい。
【００７２】
図９Ａ〜図９Ｄは、本開示の例示的な一実施形態に係る第１の通信に関連付けられる第１の位置９１０を決定する様子を示す図であり、ここで第１の参照は、第１の通信により用いられる第１のニューメロロジー又は第２の通信により用いられる第２のニューメロロジーとは異なる。すなわち、第１の参照ニューメロロジーのサブキャリア間隔の値及び／又はＣＰ長は、第１のニューメロロジーのサブキャリア間隔の値及び／又は最小ＣＰ長及び第２のニューメロロジーのサブキャリア間隔の値及び／又は最小ＣＰ長とは異なる。
【００７３】
例として、図９Ａ〜図９Ｄに示すように、第１の通信はサブキャリア間隔の第１の値及び／又はＣＰ長を用い、例えば、第１の通信のためのＳＣＳはＳ０ｋＨｚである。第１の参照通信はサブキャリア間隔の第１の参照値及び／又はＣＰ長を用い、例えば、第１の参照通信のためのＳＣＳはＳｒｋＨｚである。したがって、図９Ａ〜図９Ｄでは、第１の参照タイムスロットの継続時間はＴｒであり、これはサブキャリア間隔の第１の参照値及び／又はＣＰ長に基づいて決定される。第１の時間位置９１０は、第１の参照タイムスロット（本実施形態では、ｍ、ｍ＋１、．．．、ｍ＋ｓ）の継続時間Ｔｒ及び第１の参照タイムスロットのインデックスＮに基づいて決定される。いくつかの実施形態では、方法４００が端末デバイス３２０により実施される際、第１の参照タイムスロットのインデックスは、ネットワークデバイス３３０から送信されるメッセージから得られる。いくつかの実施形態では、方法４００が端末デバイス３２０により実施される際、第１の通信のサブキャリア間隔の第１の値及び／又はＣＰ長、第２の通信のサブキャリア間隔の第２の値及び／又はＣＰ長及び／又は第１の参照タイムスロットのサブキャリア間隔の第１の参照値及び／又はＣＰ長は、ネットワークデバイス３３０により設定される。いくつかの実施形態では、第１の参照タイムスロットのサブキャリア間隔の第１の参照値及び／又はＣＰ長は、第１の通信及び第２の通信のためのサブキャリア間隔の様々な値の組み合わせ及び／又はＣＰ長で事前に定義されてもよい。すなわち、第１の参照タイムスロットのためのサブキャリア間隔の第１の参照値及び／又はＣＰ長の定義はなくてもよい。
【００７４】
図９Ａでは、第１の通信のためのＳＣＳは、第１の参照通信のためのＳＣＳよりも小さい。図９Ａに示すように、第１の時間位置９１０は第１の通信のタイムスロットｐ内であって且つ／又は第１の参照通信のタイムスロットｍの終了時であってもよい。第１の時間位置は、第１の通信の終了の後である。
【００７５】
図９Ｂでは、第１の通信のためのＳＣＳは、第１の参照通信のためのＳＣＳよりも大きく、第１の通信は第１の通信のタイムスロットｐの継続時間内に終了する。図９Ｂに示すように、第１の時間位置９１０は、第１の通信のタイムスロットｐ＋ｓの終了時であってもよく且つ／又は第１の参照通信のタイムスロットｑの終了時であってもよい。第１の時間位置は、第１の通信の終了の後である。
【００７６】
図９Ｃでは、第１の通信のためのＳＣＳは、第１の参照通信のためのＳＣＳよりも大きく、第１の通信は第１の通信のタイムスロットｐ＋１の継続時間内に終了する。図９Ｃに示すように、第１の時間位置９１０は、第１の通信のタイムスロットｐ＋ｓの終了時であってもよく且つ／又は第１の参照通信のタイムスロットｑの終了時であってもよい。第１の時間位置は、第１の通信の終了の後である。
【００７７】
図９Ｄでは、第１の通信のためのＳＣＳは第１の参照通信のためのＳＣＳよりも小さく、第１の通信は第１の参照通信のタイムスロットｍ＋１の継続時間内に終了する。図９Ｄに示すように、第１の時間位置９１０は、第１の通信が終了した後の第１の参照通信の第１のタイムスロットｍ＋２の開始時であってもよい。第１の時間位置９１０はまた第１の通信が終了するタイムスロットｍ＋１の終了時であってもよい。第１の時間位置は、第１の通信の終了の後である。
【００７８】
いくつかの実施形態では、方法４００はさらに、第２の参照ニューメロロジーに基づいて第２の参照タイムスロットの継続時間を決定すること、及び第２の参照タイムスロットの継続時間及び第２の参照タイムスロットの数に基づいて時間間隔を決定すること、を含む。
【００７９】
図１０は、第１の通信と第２の通信との間の時間間隔１０１０を決定する様子を示す図である。
【００８０】
例として図１０に示すように、第１の通信はサブキャリア間隔の第１の値及び／又はＣＰ長を用い、例えば、第１の通信のためのＳＣＳはＳ０ｋＨｚである。第２の通信はサブキャリア間隔の第２の値及び／又はＣＰ長を用い、例えば、第２の通信のためのＳＣＳはＳ１ｋＨｚである。第２の参照タイムスロットの継続時間は、サブキャリア間隔の第２の参照値及び／又はＣＰ長に基づいて決定されてもよいＴｓである。時間間隔１０１０は、第２の参照タイムスロットＴｓの継続時間及び第２の参照タイムスロットの数Ｋに基づいて決定されてもよい。いくつかの実施形態では、方法４００が端末デバイス３２０により実施される際、第２の参照タイムスロットの数はネットワークデバイス３３０から送信されるメッセージから得られる。いくつかの実施形態では、方法４００が端末デバイス３２０により実施される際、第１の通信のサブキャリア間隔の第１の値及び／又はＣＰ長、第２の通信のサブキャリア間隔の第２の値及び／又はＣＰ長及び／又は第２の参照タイムスロットのサブキャリア間隔の第２の参照値及び／又はＣＰ長は、ネットワークデバイス３３０により設定される。
【００８１】
いくつかの実施形態では、第２の参照タイムスロットのサブキャリア間隔の値及び／又はＣＰ長は、第１の通信のために設定されたサブキャリア間隔の値及び／又はＣＰ長と同じであってもよい。すなわち、第２の参照タイムスロットのためのサブキャリア間隔の第２の参照値及び／又はＣＰ長の定義はなくてもよい。
【００８２】
いくつかの実施形態では、第２の参照タイムスロットのサブキャリア間隔の値及び／又はＣＰ長は、第２の通信のために設定されたサブキャリア間隔の値及び／又はＣＰ長と同じであってもよい。すなわち、第２の参照タイムスロットのためのサブキャリア間隔の第２の参照値及び／又はＣＰ長の定義はなくてもよい。
【００８３】
いくつかの実施形態では、第２の参照タイムスロットのサブキャリア間隔の値及び／又はＣＰ長は、第１の通信により用いられるサブキャリア間隔の第１の値及び／又はＣＰ長と、第２の通信により用いられるサブキャリア間隔の第２の値及び／又はＣＰ長との間のサブキャリア間隔の最大値及び／又はＣＰ長と同じであってもよい。すなわち、第２の参照タイムスロットのためのサブキャリア間隔の第２の参照値及び／又はＣＰ長の定義はなくてもよい。
【００８４】
いくつかの実施形態では、第２の参照タイムスロットのサブキャリア間隔の値及び／又はＣＰ長は、第１の通信により用いられるサブキャリア間隔の第１の値及び／又はＣＰ長と第２の通信により用いられるサブキャリア間隔の第２の値及び／又はＣＰ長との間のサブキャリア間隔の最小値及び／又はＣＰ長と同じであってもよい。すなわち、第２の参照タイムスロットのためのサブキャリア間隔の第２の参照値及び／又はＣＰ長の定義はなくてもよい。
【００８５】
いくつかの実施形態では、第２の参照タイムスロットのサブキャリア間隔の値及び／又はＣＰ長は、第１の通信及び第２の通信のためのサブキャリア間隔の様々な値の組み合わせ及び／又はＣＰ長により事前に定義されてもよい。すなわち、第２の参照タイムスロットのためのサブキャリア間隔の第２の参照値及び／又はＣＰ長の定義はなくてもよい。
【００８６】
いくつかの実施形態では、第２の参照タイムスロットのサブキャリア間隔の値及び／又はＣＰ長はネットワークデバイスにより設定されてもよい。第１の通信及び第２の通信のためのサブキャリア間隔の様々な値の組み合わせ及び／又はＣＰ長とともに。すなわち、第２の参照タイムスロットのためのサブキャリア間隔の第２の参照値及び／又はＣＰ長の定義はなくてもよい。
【００８７】
いくつかの実施形態では、サブキャリア間隔の値及び／又はＣＰ長はネットワークデバイスにより設定されてもよい。例えば、設定情報は、物理シグナリング、ＰＤＣＣＨ、無線リソース制御（ＲＲＣ）シグナリング、メディアアクセス制御（ＭＡＣ）シグナリング等のうちの少なくとも１つで送信されてもよい。
【００８８】
一実施形態では、第２の参照タイムスロットの継続時間は、第１の通信の第１のタイムスロットの継続時間と同じであってもよい。一実施形態では、第２の参照タイムスロットの継続時間は第２の通信の第２のタイムスロットの継続時間と同じであってもよい。一実施形態では、第２の参照タイムスロットの継続時間は第１の通信の継続時間と第２の通信の継続時間との間の長い方の継続時間と同じであってもよい。一実施形態では、第２の参照タイムスロットの継続時間は、第１の通信の継続時間と第２の通信の継続時間との間の短い方の継続時間と同じであってもよい。
【００８９】
いくつかの実施形態では、方法４００はさらに、第１の時間位置と時間間隔に基づいて、第２の通信に関連付けられる第２の時間位置を決定することを含む。
【００９０】
第１の位置は、本明細書に記載する方法のいずれを用いて決定してもよい。時間間隔は、本明細書に記載する方法のいずれを用いて決定してもよい。
【００９１】
図１１Ａ及び図１１Ｂは、本開示の例示的な一実施形態に係る、第１の時間位置１１１０及び時間間隔１１２０に基づいて第２の通信に関連付けれらた第２の時間位置１１３０を決定する様子を示す図である。図１１Ａでは、第１のタイムスロットＴ０の継続時間は、第２のタイムスロットＴ１の継続時間よりも短い。第２の位置１１３０は、第２の通信のタイムスロットの終了時にも、第２の通信のタイムスロットの開始時にも位置していない。このような状況では、第２の通信は、第２の通信のために設定された次の全タイムスロットまで遅延してもよく、又は行われなくてもよい。図１１Ｂでは、第１のタイムスロットＴ０の継続時間は第２のタイムスロットＴ１の継続時間よりも長い。第２の位置１１３０は第２の通信に使用可能ではない。このような状況では、第２の通信は第２の通信のために設定された次の全タイムスロットまで遅延してもよく、又は行われなくてもよい。
【００９２】
図１２Ａ及び図１２Ｂは、第１の通信と第２の通信との間のＳＣＳの組み合わせの制限を示す図である。本開示に係るいくつかの実施形態では、第１の通信及び第２の通信は、ダウンリンクデータ割り当てのためのダウンリンク制御情報及びデータのダウンリンク送信、アップリンクデータ割り当てのためのダウンリンク制御情報及びデータのアップリンク送信、データのダウンリンク送信及びデータのダウンリンク送信のための肯定応答、及びランダムアクセス送信及びランダムアクセスチャネル情報送信のための応答、のうちの少なくとも１つであってもよい。第１の通信は、パラメータ、例えば、ＳＣＳ値及び／又はサイクリックプリフィックス（ＣＰ）長で設定されてもよい。一実施形態では、第１の通信のためのＳＣＳの値のセット、例えば、｛ＳＡ＿１ｋＨｚ、ＳＡ＿２ｋＨｚ、．．．、ＳＡ＿ＭｋＨｚ｝であってもよい。Ｍは整数であり、１よりも小さくはない。一実施形態では、アップリンク及び／又はダウンリンク制御及び／又はデータ送信については、ＳＣＳは、１５ｋＨｚ、３０ｋＨｚ、６０ｋＨｚ、１２０ｋＨｚ、２４０ｋＨｚ、４８０ｋＨｚ、及び３．７５ｋＨｚのうちの少なくとも１つであってもよい。一実施形態では、ＰＲＡＣＨ送信については、ＳＣＳは、１．２５ｋＨｚ、５ｋＨｚ、１５ｋＨｚ、３０ｋＨｚ、６０ｋＨｚ、１２０ｋＨｚ、２．５ｋＨｚ、及び７．５ｋＨｚのうちの少なくとも１つであってもよい。一実施形態では、第１の通信のためのＣＰ長の値のセット、例えば、｛ＬＡ＿１、ＬＡ＿２、．．．、ＬＡ＿Ｍ｝であってもよい。Ｍは整数であり、１よりも小さくはない。例えば、第１の通信のための通常ＣＰ及び拡張ＣＰであってもよい。
【００９３】
一実施形態では、第２の通信は、パラメータ、例えば、ＳＣＳ値及び／又はサイクリックプリフィックス（ＣＰ）長、で設定されてもよい。一実施形態では、第２の通信のためのＳＣＳの値のセット、例えば、｛ＳＢ＿１ｋＨｚ、ＳＢ＿２ｋＨｚ、．．．、ＳＢ＿ＮｋＨｚ｝であってもよい。Ｎは整数であり、１よりも小さくはない。一実施形態では、ダウンリンク及び／又はアップリンク制御及び／又はデータ送信については、ＳＣＳは、１５ｋＨｚ、３０ｋＨｚ、６０ｋＨｚ、１２０ｋＨｚ、２４０ｋＨｚ、４８０ｋＨｚ、及び３．７５ｋＨｚのうちの少なくとも１つであってもよい。一実施形態では、ＰＲＡＣＨ送信については、ＳＣＳは、１．２５ｋＨｚ、５ｋＨｚ、１５ｋＨｚ、３０ｋＨｚ、６０ｋＨｚ、１２０ｋＨｚ、２．５ｋＨｚ、及び７．５ｋＨｚのうちの少なくとも１つであってもよい。一実施形態では、第２の通信のためのＣＰ長の値のセット、例えば、｛ＬＢ＿１、ＬＢ＿２、．．．、ＬＢ＿Ｎ｝であってもよい。Ｎは整数であり、１よりも小さくはない。例えば、第２の通信のための通常ＣＰ及び拡張ＣＰであってもよい。
【００９４】
一実施形態では、図１２Ａに示すように、第２の通信のためのパラメータ又は参照パラメータ（例えば、サブキャリア間隔の参照値）はＶ個のグループに分けられてもよい。各グループの大きさは同じであっても互いに異なっていてもよく、各グループにおける値は部分的に／完全に互いに重なっていても／重なっていなくてもよい。第１の通信については、パラメータのセット内の各値について、対応する第２の通信のためのパラメータ又は参照パラメータは値のサブセットに制限され又はそれに固定されていてもよい。特に、第１の通信のためのパラメータのセットにおける各値について、対応する第２の通信に対する１つの固定値又は参照パラメータがある。例えば、同じＣＰのタイプが第１の通信及び対応する第２の通信のために設定されるべきである。つまり、通常ＣＰが第１の通信のために設定される場合、通常ＣＰは第２の通信のために設定される。別の例としては、サブキャリア間隔の同じ値は第１の通信及び対応する第２の通信のために設定されるべきである。
【００９５】
一実施形態では、図１２Ｂに示すように、第１の通信については、パラメータのセットはＵ個のグループに分けられてもよい。各グループのサイズは同じであっても互いに異なっていてもよく、且つ各グループにおける値は部分的に／完全に互いに重なっていてもよく重なっていなくてもよい。第２の通信のためのパラメータ又は参照パラメータはＶ個のグループに分けられてもよい。各グループのサイズは同じであっても互いに異なっていてもよく、各グループにおける値は部分的に／完全に互いに重なっていてもよく重なっていなくてもよい。第１の通信については、パラメータの各サブセットについては、対応する第２の通信のためのパラメータ又は参照パラメータは、値のサブセットに制限され又はそれに固定されていてもよい。
【００９６】
一実施形態では、図１２Ｃに示すように、ＤＬ割り当て、又はＵＬ割り当て、又はＤＬデータ受信のためのサブキャリア間隔のセットは｛１５ｋＨｚ、３０ｋＨｚ、６０ｋＨｚ、１２０ｋＨｚ｝であってもよい。一実施形態では、｛１５ｋＨｚ、３０ｋＨｚ、６０ｋＨｚ、１２０ｋＨｚ｝のサブセットが対応するＤＬデータ又はＵＬデータ又は肯定応答のために設定されていてもよい。
【００９７】
一実施形態では、第１の通信のためのＳＣＳが１５ｋＨｚである場合、第２の通信は｛１５ｋＨｚ、３０ｋＨｚ、６０ｋＨｚ｝のＳＣＳのサブセットで構成されてもよい。一実施形態では、第１の通信のためのＳＣＳが３０ｋＨｚである場合、第２の通信は｛１５ｋＨｚ、３０ｋＨｚ、６０ｋＨｚ｝のＳＣＳのサブセットで構成されてもよい。一実施形態では、第１の通信のためのＳＣＳが６０ｋＨｚである場合、第２の通信は｛１５ｋＨｚ、３０ｋＨｚ、６０ｋＨｚ、１２０ｋＨｚ｝のＳＣＳのサブセットで構成されてもよい。一実施形態では、第１の通信のためのＳＣＳが１２０ｋＨｚである場合、第２の通信は｛６０ｋＨｚ、１２０ｋＨｚ｝のＳＣＳのサブセットで構成されてもよい。
【００９８】
一実施形態では、対応するＤＬデータ又はＵＬデータ又は肯定応答のためのサブキャリア間隔はＤＬ割り当て、又はＵＬ割り当て、又はＤＬデータ受信のそれよりも小さくなくてもよい。
【００９９】
一実施形態では、第１の通信のためのＳＣＳが１５ｋＨｚである場合、第２の通信は｛１５ｋＨｚ、３０ｋＨｚ、６０ｋＨｚ｝のＳＣＳのサブセットで構成されてもよい。一実施形態では、第１の通信のためのＳＣＳが３０ｋＨｚである場合、第２の通信は｛３０ｋＨｚ、６０ｋＨｚ｝のＳＣＳのサブセットで構成されてもよい。一実施形態では、第１の通信のためのＳＣＳが６０ｋＨｚである場合、第２の通信は｛６０ｋＨｚ、１２０ｋＨｚ｝のＳＣＳのサブセットで構成されてもよい。一実施形態では、第１の通信のためのＳＣＳが１２０ｋＨｚである場合、第２の通信は｛１２０ｋＨｚ｝のＳＣＳのサブセットで構成されてもよい。
【０１００】
ＰＲＡＣＨ送信及び対応するランダムアクセス応答（ＲＡＲ）については、ＰＲＡＣＨのためのサブキャリア間隔は｛１．２５ｋＨｚ、５ｋＨｚ、１５ｋＨｚ、３０ｋＨｚ、６０ｋＨｚ、１２０ｋＨｚ、２．５ｋＨｚ、７．５ｋＨｚ｝であってもよい。ＲＡＲのために設定されたサブキャリア間隔は｛１５ｋＨｚ、３０ｋＨｚ、６０ｋＨｚ、１２０ｋＨｚ｝であってもよい。一実施形態では、第１の通信がＰＲＡＣＨで第２の通信がＲＡＲである場合、第２の通信は｛１５ｋＨｚ、３０ｋＨｚ、６０ｋＨｚ、１２０ｋＨｚ｝のサブセットで構成されてもよい。一実施形態では、ＰＲＡＣＨのためのＳＣＳが１．２５ｋＨｚである場合、ＲＡＲは｛１５ｋＨｚ、３０ｋＨｚ｝のＳＣＳのサブセットで構成されてもよい。一実施形態では、ＰＲＡＣＨのためのＳＣＳが５ｋＨｚである場合、ＲＡＲは、｛１５ｋＨｚ、３０ｋＨｚ｝のＳＣＳのサブセットで構成されてもよい。一実施形態では、ＰＲＡＣＨのためのＳＣＳが１５ｋＨｚである場合、ＲＡＲは｛１５ｋＨｚ、３０ｋＨｚ｝のＳＣＳのサブセットで構成されてもよい。一実施形態では、ＰＲＡＣＨのためのＳＣＳが３０ｋＨｚである場合、ＲＡＲは｛１５ｋＨｚ、３０ｋＨｚ、６０ｋＨｚ｝のＳＣＳのサブセットで構成されてもよい。一実施形態では、ＰＲＡＣＨのためのＳＣＳが６０ｋＨｚである場合、ＲＡＲは、｛１５ｋＨｚ、３０ｋＨｚ、６０ｋＨｚ、１２０ｋＨｚ｝のＳＣＳのサブセットで構成されてもよい。一実施形態では、ＰＲＡＣＨのためのＳＣＳが１２０ｋＨｚである場合、ＲＡＲは｛６０ｋＨｚ、１２０ｋＨｚ｝のＳＣＳのサブセットで構成されてもよい。
【０１０１】
一実施形態では、ＲＡＲのためのサブキャリア間隔は、ＰＲＡＣＨためのサブキャリア間隔よりも小さくなくてもよい。一実施形態では、ＰＲＡＣＨのためのサブキャリア間隔が１．２５ｋＨｚである場合、ＲＡＲは｛１５ｋＨｚ、３０ｋＨｚ｝のＳＣＳのサブセットで構成されてもよい。一実施形態では、ＰＲＡＣＨのためのサブキャリア間隔が５ｋＨｚである場合、ＲＡＲは｛１５ｋＨｚ、３０ｋＨｚ｝のＳＣＳのサブセットで構成されてもよい。一実施形態では、ＰＲＡＣＨのためのサブキャリア間隔が１５ｋＨｚである場合、ＲＡＲは｛１５ｋＨｚ、３０ｋＨｚ｝のＳＣＳのサブセットで構成されてもよい。一実施形態では、ＰＲＡＣＨのためのサブキャリア間隔が３０ｋＨｚである場合、ＲＡＲは｛３０ｋＨｚ、６０ｋＨｚ｝のＳＣＳのサブセットで構成されてもよい。一実施形態では、ＰＲＡＣＨのためのサブキャリア間隔が６０ｋＨｚである場合、ＲＡＲは｛６０ｋＨｚ、１２０ｋＨｚ｝のＳＣＳのサブセットで構成されてもよい。一実施形態では、ＰＲＡＣＨのためのサブキャリア間隔が１２０ｋＨｚである場合、ＲＡＲは｛１２０ｋＨｚ｝のＳＣＳのサブセットで構成されてもよい。特に、ＰＲＡＣＨ送信のためのパラメータのセットにおけるサブキャリア間隔の各値については、対応するＲＡＲ送信のためのサブキャリア間隔の１つの固定値がある。
【０１０２】
いくつかの実施形態では、時間間隔は第１の通信と第２の通信との間で設定され得る。時間間隔はスロット／シンボル／ミニスロットの整数に基づいて設定されてもよく、例えば、数はＫであってもよい。いくつかの実施形態では、値Ｋは整数のセットであってもよい。いくつかの実施形態では、第１の通信及び／又は第２の通信のために設定されたサブキャリア間隔の異なる値及び／又はＣＰ長について、Ｋのセット内の整数の値又は数は異なっていてもよい。ここで、第１の通信は第１のニューメロロジーを用い、第２の通信は第２のニューメロロジーを用い第１の通信に応答して行われる。図１３〜図１６は、ネットワークデバイス３３０と端末デバイス３２０との間のいくつかの例示的なインタラクションを示す図である。当業者は、方法４００が図１３〜図１６、及び図５Ａ〜図５Ｃ、図６Ａ〜図６Ｄを参照して説明した実施形態に示すネットワークデバイス３３０と端末デバイス３２０とで実施されてもよいことを理解するであろう。図７ａ〜図７Ｃ、図８Ａ〜図８Ｃ、図９Ａ〜図９Ｄ及び図１０がまた図１３〜図１６で示すネットワークデバイス３３０及び端末デバイス３２０で実施され得る。
【０１０３】
一実施形態では、図１３に示すように、ネットワークデバイス３３０は、ＤＬ割り当て（インタラクション１３００の「第１の通信」に対応する）を端末デバイス３２０に送信してもよく１３１０、その後ネットワークデバイス３３０は、時間間隔の後、対応するＤＬデータを端末デバイス３２０に送信してもよい１３５０。一実施形態では、端末デバイス３２０は、ＤＬ割り当てに関連する第１の時間位置及び／又はＤＬ割り当てと対応するＤＬデータとの間の時間間隔（インタラクション１３０１における「第２の通信」に対応する）を決定してもよい。一実施形態では、ネットワークデバイス３３０は、端末デバイス３２０に対するスケジューリング情報及び／又は上位のレイヤシグナリングをＤＬデータ送信のために設定してもよい。一実施形態では、端末デバイス３２０は割り当て情報を受信して復号してもよく１３３０、且つ割り当て情報に基づいて対応するＤＬデータを受信して復号してもよい１３７０。スケジューリング情報は、リソース割り当て、変調及び符号化方式、帯域幅部分、周波数キャリア情報、サブキャリア間隔の値、サイクリックプリフィックス（ＣＰ）の長さ、ＤＬ割り当てと対応するダウンリンクデータ送信との間の関係（例えば、ｋスロット及び／又はミニスロット及び／又はシンボル、スロット／ミニスロット／シンボルｎにおけるＤＬ割り当て及びスロット／ミニスロット／シンボルｎ＋ｋにおける対応するＤＬデータ）、ハイブリッド自動再送要求（ＨＡＲＱ）情報、冗長バージョン、電力情報等のうちの少なくとも１つを含んでもよい。ＤＬ割り当てと対応するダウンリンクデータ送信との間の関係の情報のための値ｋのセットがあってもよい。異なる周波数キャリア及び／又は帯域幅部分及び／又はサブキャリア間隔値、及び／又はＣＰ長については、値ｋのセットは異なっていてもよい。
【０１０４】
一実施形態では、図１４に示すように、ネットワークデバイス３３０はＵＬ割り当て（インタラクション１４００における「第１の通信」に対応する）を端末デバイス３２０に送信してもよく１４１０、その後端末デバイス３２０は対応するＵＬデータをネットワークデバイス３３０に送信してもよい１４５０。一実施形態では、端末デバイス３２０は、ＵＬ割り当てに関連する第１の時間位置及び／又はＵＬ割り当てと対応するＵＬデータとの間の時間間隔（インタラクション１４００における「第２の通信」に対応する）を決定してもよい。一実施形態では、ネットワークデバイス３３０は、端末デバイス３２０に対するスケジューリング情報及び／又は上位のレイヤシグナリングをＵＬデータ（ＰＵＳＣＨ）送信のために設定してもよい。一実施形態では、端末デバイス３２０は、ＵＬ割り当て情報を受信して復号してもよい１４４０。スケジューリング情報は、リソース割り当て、変調及び符号化方式、帯域幅部分、周波数キャリア情報、サブキャリア間隔の値、サイクリックプリフィックス（ＣＰ）の長さ、ＵＬ割り当てと対応するアップリンクデータ送信との間の関係（例えば、ｋスロット及び／又はミニスロット及び／又はシンボル、スロット／ミニスロット／シンボルｎにおけるＵＬ割り当て及びスロット／ミニスロット／シンボルｎ＋ｋにおける対応するＵＬデータ）、ハイブリッド自動再送要求（ＨＡＲＱ）情報、冗長バージョン、電力情報等のうちの少なくとも１つを含んでもよい。ＵＬ割り当てと対応するダウンリンクデータ送信との間の関係の情報のための値ｋのセットがあってもよい。異なる周波数キャリア及び／又は帯域幅部分及び／又はサブキャリア間隔値、及び／又はＣＰ長については、値ｋのセットは異なっていてもよい。
【０１０５】
一実施形態では、図１５に示すように、ネットワークデバイス３３０は、ＤＬデータ（インタラクション１５００における「第１の通信」に対応する）を端末デバイス３２０に送信してもよく１５１０、その後端末デバイス３２０が対応する肯定応答をネットワークデバイス３３０に送信してもよい１５５０。一実施形態では、端末デバイス３２０は、ＤＬデータに関連する第１の時間位置及び／又はＤＬデータと対応する肯定応答との間の時間間隔を決定してもよい（インタラクション１５００における「第２の通信」に対応する）。一実施形態では、ネットワークデバイス３３０は、端末デバイス３２０に対するスケジューリング情報及び／又は上位のレイヤシグナリングを肯定応答（ＰＵＣＣＨ）送信のために設定してもよい。一実施形態では、端末デバイス３２０はＤＬデータを受信し復号してもよい１５４０。スケジューリング情報は、リソース割り当て、変調及び符号化方式、帯域幅部分、周波数キャリア情報、サブキャリア間隔の値、サイクリックプリフィックス（ＣＰ）の長さ、ＤＬデータと関連する肯定応答との間の関係（例えば、ｋスロット及び／又はミニスロット及び／又はシンボル、スロット／ミニスロット／シンボルｎにおけるＵＬ割り当て及びスロット／ミニスロット／シンボルｎ＋ｋにおける対応するＵＬデータ）、ハイブリッド自動再送要求（ＨＡＲＱ）情報、冗長バージョン、電力情報等のうちの少なくとも１つを含んでもよい。ＤＬデータと関連する肯定応答との間の関係の情報のための値ｋのセットがあってもよい。異なる周波数キャリア及び／又は帯域幅部分及び／又はサブキャリア間隔値、及び／又はＣＰ長については、値ｋのセットは異なっていてもよい。
【０１０６】
一実施形態では、図１６に示すように、端末デバイス３２０はＰＲＡＣＨ（インタラクション１６００における「第１の通信」に対応する）をネットワークデバイス３３０に送信してもよく１６１０、その後ネットワークデバイス３３０は対応する応答を端末デバイス３２０に送信してもよい１６５０。一実施形態では、ネットワークデバイス３３０は、ＰＲＡＣＨに関連する第１の時間位置及び／又はＰＲＡＣＨと対応する応答との間の時間間隔（インタラクション１６００における「第２の通信」に対応する）を決定してもよい。一実施形態では、ネットワークデバイス３３０は、端末デバイス３２０に対するいくらかの情報及び／又は上位のレイヤシグナリングをＰＲＡＣＨ送信のために設定してもよい。一実施形態では、ネットワークデバイス３３０はＰＲＡＣＨを受信し検出してもよい１６４０。この情報は、リソース割り当て、帯域幅部分、周波数キャリア情報、サブキャリア間隔の値、サイクリックプリフィックス（ＣＰ）の長さ、ＰＲＡＣＨ送信と対応する応答との間の関係（例えば、ｋスロット及び／又はミニスロット及び／又はシンボル、スロット／ミニスロット／シンボルｎにおけるＰＲＡＣＨ送信、及びスロット／ミニスロット／シンボルｎ＋ｋからの対応する応答）、電力情報等のうちの少なくとも１つを含んでもよい。ＰＲＡＣＨ送信と対応する応答との間の関係の情報のための値のセットｋがあってもよい。異なる周波数キャリア及び／又は帯域幅部分及び／又はサブキャリア間隔値、及び／又はＣＰ長については、値ｋのセットは異なっていてもよい。一実施形態では、ネットワークデバイス３３０は、対応する応答（例えば、ＲＡＲ及び／又はＰＤＣＣＨ）のための情報を設定してもよく、この情報は、時間及び／又は周波数リソース、検出のための時間窓、サブキャリア間隔値、ＣＰ長のうちの少なくとも１つを含んでもよい。一実施形態では、対応する応答はＰＤＣＣＨによってスケジューリングされてもよい。
【０１０７】
図１７は、本開示の実施形態を実施するのに適したデバイス１７００の簡略化したブロック図である。図示するように、デバイス１７００は１つ又は複数のプロセッサ１７１０、プロセッサ（複数可）１７１０に結合した１つ又は複数のメモリ１７２０、及びプロセッサ１７１０に結合した１つ又は複数の送信器及び／又は受信器（ＴＸ／ＲＸ）１７４０を備える。デバイス１７００は、ネットワークデバイス３３０及び端末デバイス３２０として実装されてもよい。
【０１０８】
プロセッサ１７１７は、ローカル技術ネットワークに適した任意のタイプのものであってもよく、非限定的な例として、汎用コンピュータ、専用コンピュータ、マイクロプロセッサ、デジタル信号プロセッサ（ＤＳＰ）、及び、マルチコアプロセッサアーキテクチャに基づくプロセッサの１つ以上を含み得る。デバイス１７００は、メインプロセッサを同期させるクロックに時間的に従属する、特定用途向け集積回路チップなどの複数のプロセッサを有してもよい。
【０１０９】
メモリ１７２０は、ローカル技術ネットワークに適した任意のタイプのものであってもよく、非限定的な例として、非一時的なコンピュータ可読記憶媒体、半導体ベースメモリデバイス、磁気メモリデバイス及びシステム、光学メモリデバイス及びシステム、固定メモリ、並びに、リムーバブルメモリなどの、任意の適当なデータストレージ技術を使用して実装され得る。
【０１１０】
メモリ１７２０は、プログラム１７３０の少なくとも一部を格納する。ＴＸ／ＲＸ１７４０は、双方向通信用である。ＴＸ／ＲＸ１７４０は、通信を容易にするために、少なくとも１つのアンテナを有しているが、実際にはこの適用形態で言及されているアクセスノードは複数のアンテナを有していてもよい。通信インターフェースは、他のネットワーク要素との通信に必要な任意のインターフェースを表してもよい。
【０１１１】
プログラム１７３０は、図５〜図１０を参照して本明細書で説明したように、関連するプロセッサ１７１０によって実行されると、デバイス１７００が本開示の実施形態に従って動作することを可能にするプログラム命令を含むものとされる。すなわち、本開示の実施形態は、デバイス１７００のプロセッサ１７１０によって実行され得るコンピュータソフトウェアによって、ハードウェアによって、又はソフトウェアとハードウェアの組み合わせによって実施され得る。
【０１１２】
図１８は、本開示の実施形態を実施するのに適した装置１８００の簡略化したブロック図である。装置１８００は、ネットワークデバイス３３０及び端末デバイス３２０において実装されてもよい。図示するように、装置１８００は、第１の通信に関連付けられる第１の時間位置と、第１の通信及び第２の通信の間の時間間隔と、の少なくとも１つを決定するように構成された決定部１８１０を含み、ここで第１の通信は第１のニューメロロジーを用い、第２の通信は第２のニューメロロジーを用い第１の通信に応答して実行される。
【０１１３】
一実施形態では、装置１８００はさらに、第１の時間位置と時間間隔に基づいて、第２の通信に関連付けられる第２の時間位置を決定するように構成された第２の決定部を含む。
【０１１４】
一実施形態では、決定部１８１０はさらに、第１の参照ニューメロロジーに基づいて第１の参照タイムスロットの継続時間を決定し、且つ第１の参照タイムスロットの継続時間及び第１の参照タイムスロットのインデックスに基づいて第１の時間位置を決定するように構成されている。
【０１１５】
一実施形態では、装置１８００が端末デバイス３２０である場合、決定部１８１０はさらに、ネットワークデバイスから送信されたメッセージから第１の参照タイムスロットのインデックスを取得するように構成される。
【０１１６】
一実施形態では、決定部１８１０はさらに、第２の参照ニューメロロジーに基づいて第２の参照タイムスロットの継続時間を決定し、且つ第２の参照タイムスロットの継続時間及び第２の参照タイムスロットの数に基づいて時間間隔を決定するように構成される。
【０１１７】
一実施形態では、装置１８００が端末デバイス３２０である場合、決定部１８１０はさらに、ネットワークデバイスから送信されたメッセージから第２の参照タイムスロットの数を取得するように構成される。
【０１１８】
上記の記載に基づいて、当業者は、本開示が装置、方法、又はコンピュータプログラム製品において実現され得ることを理解するであろう。概して、多様な例示的な実施形態が、ハードウェア又は専用回路、ソフトウェア、論理、又はそれらの任意の組み合わせで実施され得る。例えば、いくつかの態様は、ハードウェアで実装されてもよく、他の態様は、コントローラ、マイクロプロセッサ、又は他のコンピューティングデバイスによって実行され得る、ファームウェア又はソフトウェアで実装されてもよいが、本開示はそれらに限定されない。本開示の実施形態の様々な態様は、ブロック図、フローチャート、又はいくつかの他の絵入り表現として、図示及び説明されているが、本明細書で説明されるブロック、装置、システム、技術又は方法は、非限定的な例として、ハードウェア、ソフトウェア、ファームウェア、専用回路又は論理、汎用ハードウェア又はコントローラ、又はその他のコンピューティングデバイス、又はそれらのいくつかの組み合わせで、実装されてもよいことが十分理解されるであろう。
【０１１９】
図５に示す様々なブロックは、方法ステップ、及び／又はコンピュータプログラムコードの動作から生じる動作、及び／又は関連する機能を実行するように構成された複数の結合論理回路要素と見做し得る。本開示の実施形態の少なくともいくつかの態様は、集積回路チップ及びモジュール等の様々な構成要素で実施されてもよく、本開示の実施形態は、本開示の例示的な実施形態に従って動作するように構成可能な集積回路、ＦＰＧＡ又はＡＳＩＣとして具現される装置において実施されてもよい。
【０１２０】
本明細書には、多くの特定の実装の詳細が含まれているが、これらは任意の開示事項の範囲又は特許請求され得るものの範囲を制限するものと解釈されるべきではなく、特定の開示の特定の実施形態に固有であり得る特徴の説明として解釈されるべきである。個別の実施形態の文脈で本明細書に記載する様々な特徴はまた、１つの実施形態において組み合わせて実施されてもよい。逆に、１つの実施形態の文脈で記載する様々な特徴は複数の実施形態において別々に、又は任意の適当な部分的な組み合わせにおいて実施されてもよい。さらに、上記では複数の特徴が特定の組み合わせで機能するものとして説明されまた最初にそのように請求されてもいるが、場合によっては特許請求された組み合わせからの１つ又は複数の特徴が組み合わせから除外されることがあり、また特許請求された組み合わせは、部分的な組み合わせ、又は部分的な組み合わせのバリエーションを対象にするものである。
【０１２１】
同じように、図面では動作が特定の順序で描かれているが、これは、これらの動作が、望ましい結果を得るために、図示された特定の順序で又は順番に実行されることを、また全ての例示される動作が実行されることを要求するものと理解されるべきではない。いくつかの状況では、マルチタスク処理及び並行処理が有利であり得る。さらに、上で説明した実施形態における様々なシステム構成要素の分離は全ての実施形態におけるそのような分離を要求するものとして理解されるべきではなく、また説明したプログラム構成要素及びシステムは概して１つのソフトウェア製品に統合されてもよく又は複数のソフトウェア製品にパッケージングされてもよいことが理解されるべきである。
【０１２２】
上記の説明を、添付図面と併せて読むことにより、本開示の上記の実施形態の様々な変形形態及び適用形態が関連技術の当業者には明らかになるであろう。あらゆる変形形態が本開示の非限定的且つ例示的な実施形態の範囲内に含まれるであろう。さらに、本明細書に記載する開示の他の実施形態が、上述の説明及び関連する図面に提示された教示の利益を有する、これらの本開示の実施形態が関係する当業者には思い浮かぶであろう。
【０１２３】
したがって、本開示の実施形態は開示された具体的な実施形態に限定されるべきものではなく、それらの変形形態や他の実施形態も添付の請求項の範囲内に含まれることを意図していることを理解されたい。本明細書では特定の用語を用いているが、それらは一般的且つ説明的な意味でのみ用いられ、限定することを目的としているものではない。
【図１Ａ】
2022002392.tif 000003
【図１Ｂ】
2022002392.tif 000004
【図２Ａ】
2022002392.tif 000005
【図２Ｂ】
2022002392.tif 000006
【図２Ｃ】
2022002392.tif 000007
【図２Ｄ】
2022002392.tif 000008
【図３】
2022002392.tif 000009
【図４】
2022002392.tif 000010
【図５Ａ】
2022002392.tif 000011
【図５Ｂ】
2022002392.tif 000012
【図５Ｃ】
2022002392.tif 000013
【図６Ａ】
2022002392.tif 000014
【図６Ｂ】
2022002392.tif 000015
【図６Ｃ】
2022002392.tif 000016
【図６Ｄ】
2022002392.tif 000017
【図７Ａ】
2022002392.tif 000018
【図７Ｂ】
2022002392.tif 000019
【図７Ｃ】
2022002392.tif 000020
【図８Ａ】
2022002392.tif 000021
【図８Ｂ】
2022002392.tif 000022
【図８Ｃ】
2022002392.tif 000023
【図９Ａ】
2022002392.tif 000024
【図９Ｂ】
2022002392.tif 000025
【図９Ｃ】
2022002392.tif 000026
【図９Ｄ】
2022002392.tif 000027
【図１０】
2022002392.tif 000028
【図１１Ａ】
2022002392.tif 000029
【図１１Ｂ】
2022002392.tif 000030
【図１２Ａ】
2022002392.tif 000031
【図１２Ｂ】
2022002392.tif 000032
【図１２Ｃ】
2022002392.tif 000033
【図１３】
2022002392.tif 000034
【図１４】
2022002392.tif 000035
【図１５】
2022002392.tif 000036
【図１６】
2022002392.tif 000037
【図１７】
2022002392.tif 000038
【図１８】
2022002392.tif 000039